(57)【要約】【課題】本考案は室内で使えると共にそれを装着したままでも靴を履くことができ、且つ足裏の各アーチを確保させて扁平足や外反母趾の症状を和らぐ効果が期待でき、更に足裏のツボを刺激して血行が良好状態になる足裏の指圧及び支持用サポーターを提供することを目的とする。【解決手段】筒状に編成された伸縮性生地のサポーター本体１の内面に少なくとも、装着時に土踏まず部に位置する部分へ指圧及び支持用のクッションＡ２と支持用のクッションＢ３を突設させると共にそれを伸縮性生地で覆った構造とする。またクッションＡ２と支持用のクッションＢ３の材質を、硬質なスポンジ或いは軟質なゴムとし、更に足裏のアーチを支持する位置にクッションＣ４を配置可能に備えると良い。【選択図】図１
0003106728.tif 000002
【実用新案登録請求の範囲】
【請求項１】
筒状に編成された伸縮性生地のサポーター本体（１）の内面に少なくとも、装着時に土踏まず部に位置する部分へ指圧及び支持用のクッションＡ（２）と支持用のクッションＢ（３）を突設させたことを特徴とする足裏の指圧及び支持用サポーター。
【請求項２】
前記クッションＡ（２）とクッションＢ（３）が、伸縮性生地で覆われ、且つ前記クッションＡ（２）の突起側が土踏まず側に向けられて配置されると共に前記クッションＢ（３）の突起側が接地面側に向けられて配置された請求項１記載の足裏の指圧及び支持用サポーター。
【請求項３】
前記クッションＡ（２）とクッションＢ（３）の材質が、硬質なスポンジ或いは軟質なゴムであり、前記クッションＡ（２）が足裏の勇泉のツボに相当する位置に配置可能であると共に前記クッションＡ（２）が親指の中足骨先端部（ａ点）と小指の中足骨先端部（ｂ点）間のアーチを支持する位置に配置可能であり、前記クッションＢ（３）が前記クッションＡ（２）の横に隣接されると共に親指の中足骨先端部（ａ点）と踵骨部（ｃ点）間の土踏まずのアーチを支持する位置に配置可能である請求項１又は２記載の足裏の指圧及び支持用サポーター。
【請求項４】
前記クッションＡ（２）とクッションＢ（３）に磁気を具備させた請求項１、２又は３記載の足裏の指圧及び支持用サポーター。
【請求項５】
前記サポーター本体（１）の内面にクッションＣ（４）を突設させると共に該クッションＣ（４）が、小指の中足骨先端部（ｂ点）と踵骨部（ｃ点）間のアーチを支持する位置に配置可能に備えられた請求項１記載の足裏の指圧及び支持用サポーター。
【考案の詳細な説明】
【技術分野】
【０００１】
本考案は足裏の各アーチを支持して確保するための足裏の指圧及び支持用サポーターに関する。
【背景技術】
【０００２】
一般にハイヒールを履いて長時間歩行する外回りの仕事や、長時間の立ち仕事などに従事すると、足が変形して扁平足や外反母趾になり易かった。この扁平足は、図２、図３に示す親指の中足骨先端部（ａ点）と踵骨部（ｃ点）間のアーチ（土踏まず）がなくなって平らな状態になるため、足が疲れ易く、足裏痛やむくみ或いはひざ痛や腰痛などを引き起こす原因となると共に長い距離が歩けなくなる。また前記外反母趾は、図２、図３に示す親指の中足骨先端部（ａ点）と小指の中足骨先端部（ｂ点）間のアーチ（メタタザールアーチとも言う）がなくなって前足部の横幅が広がるため、歩くバランスが極めて悪くなり、ウオノメやタコが出来易くなると共に親指の痛みや足裏痛を起こし、血行が悪くなって足が冷えるなどの症状が出易くなる。この対策として、靴自体或いは中敷を調整したものなどがあるが、これは靴を履いている時のみ有効なものであり、室内では有効でなかった。
【０００３】
一方、土踏まず部分や足裏全体のツボの指圧を屋内外で日常的に効果を上げるために提案されたものとして、特開２００３−３８６１２がある。この構造は、薄いゴム素材の伸縮生地で筒状に一体形成された伸縮帯輪の内側面の足裏接触部には、小さな指圧突起を数多く施し、且つその対向側の裏面には、前記内側面に設けたものよりも少し大きな指圧突起を数多く施したものである。
【０００４】
しかしながら特開２００３−３８６１２は、伸縮帯輪（サポーター）の表裏面に異なる大きさの指圧突起を設け、必要に応じて反転することで、指圧突起の刺激度合いを変えることが可能なものであるが、扁平足や外反母趾に有効に働くものではなく、しかも扁平足や外反母趾に対処する発想はなかった。
【特許文献１】特開２００３−３８６１２号公報
【考案の開示】
【考案が解決しようとする課題】
【０００５】
本考案は室内で使えると共にそれを装着したままでも靴を履くことができ、且つ足裏の各アーチを確保させて扁平足や外反母趾の症状を和らぐ効果が期待でき、更に足裏のツボを刺激して血行が良好状態になる足裏の指圧及び支持用サポーターを提供することを目的とする。
【課題を解決するための手段】
【０００６】
上記現状に鑑み本考案は成されたものであり、つまり、筒状に編成された伸縮性生地のサポーター本体の内面に少なくとも、装着時に土踏まず部に位置する部分へ指圧及び支持用のクッションＡと支持用のクッションＢを突設させた構造とする。また前記クッションＡとクッションＢを伸縮性生地で覆い、該クッションＡとクッションＢの材質を、硬質なスポンジ或いは軟質なゴムとし、クッションＡを、足裏の勇泉のツボに相当する位置に配置可能とすると共にそれが親指の中足骨先端部（ａ点）と小指の中足骨先端部（ｂ点）間のアーチを支持する位置に配置可能とし、クッションＢをクッションＡの横に隣接させると共にそれを親指の中足骨先端部（ａ点）と踵骨部（ｃ点）間の土踏まずのアーチが支持される位置に配置可能とし、更に小指の中足骨先端部（ｂ点）と踵骨部（ｃ点）間のアーチを支持する位置にクッションＣを配置可能に備えると良い。尚、本考案で言う「筒状に編成」とは、編成時には図１のように扁平であるが、装着時には筒状の状態で使用出来るものを指す。
【考案の効果】
【０００７】
請求項１のように筒状で伸縮性生地のサポーター本体（１）の内面に少なくとも、装着時に土踏まず部に位置する部分へ指圧及び支持用のクッションＡ（２）と支持用のクッションＢ（３）を突設させることにより、歩いたり、走ったりする時には、使用している人の体重によって自然に指圧状態が生み出されるため、土踏まず部が指圧されて足裏のツボを刺激する。しかも室内で使えると共にそれを装着したまま靴が履けるので、いつでも使用することが可能なものとなり、本考案品はバッグやポケットなどに入れて必要な時にいつでも取出して使用することが出来る便利なものとなり、特に旅行や出張などに携帯すれば、いつでも何処でも疲れた時に気軽に使えるものとなる。
【０００８】
請求項２のようにクッションＡ（２）とクッションＢ（３）を伸縮性生地で覆うことにより、クッションＡ（２）とクッションＢ（３）の形が崩れずにいつまでも有効に使用でき、洗濯が簡単に行え、衛生的に使用できるものとなる。またクッションＡ（２）の突起側が土踏まず側に向けられて配置されているため、足裏の所望のツボを刺激し易くなると共に足裏の所望のアーチに安定して接触し、アーチを支持して確実にそのアーチが確保されるものとなる。又、クッションＢ（３）の突起側が接地面側に向けられて配置され、反対側の平面部が足裏に当り、接触部分が広くなるため、だれの足にも所望のアーチを確実に確保するものとなる。尚、前記クッションＢ（３）の突起側が土踏まず側に向けられると、突起部先端側のみが足裏へ局部的に当り、足が痛くなる恐れを生じる。
【０００９】
請求項３に示すようにクッションＡ（２）とクッションＢ（３）の材質を、硬質なスポンジ或いは軟質なゴムとすることにより、クッションＡ（２）とクッションＢ（３）は刺激が強すぎる恐れがなく足に良くフィットし、安定して使用でき、且つ洗濯が簡単にでき、衛生的なものとなるため、長期間に渡って日常的に使用出来るものとなる。またクッションＡ（２）が足裏の勇泉のツボに相当する位置に配置可能であると共にそれをａ点とｂ点間のアーチが支持される位置に配置可能とすることにより、ａ点とｂ点間のアーチを支持してそのアーチが確保されるため、外反母趾に対して有効に働き、外反母趾の症状を和らげる効果が得られるものとなると共に足裏の勇泉のツボが刺激されて血行を良くするものとなる。更にクッションＢ（３）がクッションＡ（２）の横に隣接されると共にａ点とｃ点間の土踏まずのアーチを支持する位置に配置可能とすることにより、土踏まずのアーチを支持してそのアーチが確保されるため、扁平足の症状を和らげる効果が発揮出来るものとなる。
【００１０】
請求項４に示すようにクッションＡ（２）とクッションＢ（３）に磁気を具備させることにより、足裏の血行が良くなると共に足裏に集まっている各ツボを磁気で刺激して健康増進や疲労の回復効果に寄与可能なものとなる。
【００１１】
請求項５のようにサポーター本体（１）の内面にクッションＣ（４）を突設させると共に該クッションＣ（４）が、ｂ点とｃ点間のアーチを支持する位置に配置可能に備えられることにより、扁平足の症状を和らげる補助効果が発揮されるものとなる。
【考案を実施するための最良の形態】
【００１２】
図１は本考案の実施形態を示すと共に上側のサポーター本体の右半分以上を切欠いた図であり、これに基づき説明する。(１)は筒状に編成された伸縮性生地のサポーター本体であり、該サポーター本体（１）の大きさは、図１の状態で幅８０ｍｍ、長さ９５ｍｍであるが、土踏まず部を略覆う大きさがあれば良い。またサポーター本体（１）の素材としては、伸縮性と通気性に富み、足が蒸れないゴム素材入りの布素材が好ましい。（２）はサポーター本体（１）の内面に突設させ且つ装着時に土踏まず部に位置させる指圧及び支持用のクッションＡであり、該クッションＡ（２）の大きさは幅３５ｍｍ、長さ４５ｍｍ、高さ１０ｍｍで、且つ図３、図４に示すように上方へ突起した形状であり、その素材は、硬質なスポンジ或いは軟質なゴムまたは軟質で弾性を有した合成樹脂である。また前記クッションＡ（２）は足裏の勇泉のツボを刺激すると共に親指の中足骨先端部（ａ点）と小指の中足骨先端部（ｂ点）間のアーチ（メタタザールアーチ）を支持し確保する役目も果す（図２、図３参照）。
【００１３】
（３）はサポーター本体（１）の内面に突設させ且つ装着時に土踏まず部に位置させる支持用のクッションＢであり、該クッションＢ（３）はクッションＡ（２）の横に隣接されると共に図２に示すａ点と踵骨部（ｃ点）間の土踏まずのアーチを支持する位置に配置させ、またクッションＢ（３）の大きさは幅３５ｍｍ、長さ７５ｍｍ、高さ６ｍｍで、且つ図４、図３に示すように下方へ突起した形状であり、その素材はクッションＡ（２）と同一素材を用いると良い。（４）はサポーター本体（１）の内面に突設させた土踏まず部へ配置し、且つ図２に示すｂ点とｃ点間のアーチを支持するために備えられたクッションＣであり、該クッションＣ（４）はクッションＢ（３）と同一素材を用い、その大きさは幅２５ｍｍ、長さ５０ｍｍ、高さ３ｍｍで、且つクッションＢ（３）と同様に下方へ突起した形状である。尚、前記クッションＡ（２），クッションＢ（３），クッションＣ（４）の大きさは上記に限定されるものではない。また前記クッションＡ（２），クッションＢ（３），クッションＣ（４）は図４に示すように伸縮性生地で覆われ、且つ前記クッションＡ（２），クッションＢ（３），クッションＣ（４）の素材に磁気を有した材料を混入或いは表面に貼着させ、クッションＡ（２），クッションＢ（３），クッションＣ（４）に磁気を具備させたものとしても良い。
【００１４】
次に本考案品の使用方法について説明すると、先ず始めにクッションＡ（２），クッションＢ（３），クッションＣ（４）が下側に来るように配置し（図１参照）、このサポーター本体（１）を広げて、つま先から足を入れて図２の位置に装着する。この時、クッションＡ（２）は足裏の勇泉のツボに相当する位置に配置されると共にａ点とｂ点の間のアーチを支持する位置に配置され、クッションＢ（３）はａ点とｃ点間の土踏まずのアーチを支持する位置に配置されるようにする（図３参照）。またクッションＣ（４）をｂ点とｃ点の間のアーチを支持する位置に配置しておくと良い。尚、本考案品は直接足に装着し、その上から靴下を履いたり、履物を履いたりすると良い。次に本考案品を装着して歩くと、足に身体の荷重が加わり、クッションＡ（２）とクッションＢ（３）は足裏と密着し、且つクッションＣ（４）も足裏と密着する。このようにして、本考案品を足に装着し且つ足裏のａ点とｂ点間のアーチを支持して確保すると共に勇泉のツボを刺激し、更にａ点とｃ点間のアーチ及びｂ点とｃ点間のアーチを支持することにより、歩くたびに足裏のツボを刺激し、且つ足裏の各アーチを支持し確保するため、従来行われていた中敷を調整した靴と同じ効果が得られる。また外反母趾などによる痛みが緩和し、且つウオノメやタコの痛みも緩和すると共に、タコなどが消える。特に立ち仕事を長時間行う場合、足裏の各アーチを直接下から支え、崩れた骨格や体重のバランスを整え、血行を促進するため、足の痛みやむくみが緩和され、足裏の痛みが楽になり、血行が良くなることにより、足が温かくなり、さまざまな症状を和らげる。
【産業上の利用可能性】
【００１５】
本考案は足裏の各アーチを直接下から支え、崩れた足の骨格や体重のバランスを整え、血行を促進して、足の痛みやむくみだけでなく、ひざ痛の緩和や足の冷え性の症状が和らぐため、医療用として使用することも可能なものとなる。
【図面の簡単な説明】
【００１６】
【図１】本考案の実施形態の要部を示す一部切欠いた説明図である。
【図２】本考案品を取付けた状態を上部から見た説明図である。
【図３】本考案品を取付けた状態を正面から見た説明図である。
【図４】図２のＸ−Ｘ線に沿った拡大断面図である。
【符号の説明】
【００１７】
１  サポーター本体
２  クッションＡ
３  クッションＢ
４  クッションＣ
【図１】
0003106728.tif 000003
【図２】
0003106728.tif 000004
【図３】
0003106728.tif 000005
【図４】
0003106728.tif 000006